(57)【要約】【課題】本発明は、カソードバスラインを画素領域の少なくとも両側に配列して電源電圧の電圧降下を補償して輝度均一度を向上させることができる有機電界発光表示装置を提供する。【解決手段】本発明は複数個のコンタクトホールを非対称的に配列して電源電圧ラインの電圧降下を補償できる有機電界発光表示装置に関する。本発明の有機電界発光表示装置２００は複数の画素が配列された画素領域２６０と；画素領域２６０の画素に電源電圧を提供するための第１電源ライン２２１と；画素領域２６０の上部に配列されて画素に所定レベルの電圧を提供するための電極と；電圧を電極に提供するための、少なくとも電極と重なる領域を備える第２電源ライン２２２を含み、第２電源ライン２２２は電極との連結のための複数のコンタクトホールを備えて、複数のコンタクトホールは第２電源ライン２２２と電極の重畳領域の二等分線を基準にして非対称に配列される。【選択図】図１
2005157300.tif 000002
【特許請求の範囲】
【請求項１】
それぞれ第１及び第２電極そして第１及び第２電極間に介在した有機薄膜層を備える複数の画素が配列された画素領域と、
前記画素領域の画素に第１レベルの電圧を提供するための第１電源ラインと、
第２電極に第２レベルの電圧を提供するための、少なくとも前記第２電極と重なる領域を備える第２電源ラインを含み、
前記第２電源ラインは前記第２電極との連結のための複数のコンタクトホールを備えて、
前記複数のコンタクトホールは前記第２電源ラインと第２電極の重畳領域の二等分線を基準にして非対称に配列されることを特徴とする有機電界発光表示装置。
【請求項２】
前記コンタクトホールは少なくとも二個以上であることを特徴とする請求項１に記載の有機電界発光表示装置。
【請求項３】
前記コンタクトホールは第２電源ラインの長軸方向に少なくても二個以上に配列されており、前記第２電源ラインの長軸方向への長さが相異なることを特徴とする請求項１に記載の有機電界発光表示装置。
【請求項４】
前記コンタクトホールは電圧降下が大きい領域での第２電源ラインの長軸方向の長さが電圧降下が小さい領域での第２電源ラインの長軸方向の長さより長いことを特徴とする請求項３に記載の有機電界発光表示装置。
【請求項５】
前記コンタクトホールは電圧降下が大きい領域でのコンタクトホールの面積が電圧降下が小さい領域でのコンタクトホールの面積より大きいことを特徴とする請求項１に記載の有機電界発光表示装置。
【請求項６】
前記コンタクトホールは第２電源ラインの長軸方向に少なくても３個以上に構成されており、電圧降下が大きい領域での第２電源ラインの長軸方向に隣接した二つのコンタクトホール間の間隔と電圧降下が小さい領域での第２電源ラインの長軸方向に隣接した二つのコンタクトホール間の間隔が相異なることを特徴とする請求項１に記載の有機電界発光表示装置。
【請求項７】
前記コンタクトホールは電圧降下が大きい領域での第２電源ラインの長軸方向に隣接した二つのコンタクトホール間の間隔は電圧降下が小さい領域での第２電源ラインの長軸方向に隣接した二つのコンタクトホール間の間隔より短いことを特徴とする請求項６に記載の有機電界発光表示装置。
【請求項８】
前記コンタクトホールは第２電源ラインの長軸方向長さが相異なって短縮方向に少なくても２個以上構成されており、電圧降下が大きい領域でのコンタクトホールの第２電源ラインの短縮方向の長さの総合は電圧降下が小さい領域でのコンタクトホールの第２電源ラインの短縮方向長さの総合より大きいことを特徴とする請求項１に記載の有機電界発光表示装置。
【請求項９】
前記第２電源ラインの短縮方向に配列される前記コンタクトホールの個数が第２電源ラインの長軸方向に電圧降下が大きい領域と電圧降下が小さい領域で相異なることを特徴とする請求項１に記載の有機電界発光表示装置。
【請求項１０】
前記コンタクトホールは電圧降下が大きい部分から電圧降下が小さい部分側への間隔が隣接したコンタクトホール間に相互に同一であるように配列されることを特徴とする請求項９に記載の有機電界発光表示装置。
【請求項１１】
前記コンタクトホールは電圧降下が大きい部分から電圧降下が小さい部分側への間隔が隣接したコンタクトホール間に相互に相異なるように配列されることを特徴とする請求項９に記載の有機電界発光表示装置。
【請求項１２】
前記コンタクトホールは前記電源電圧の電圧降下が大きい部分で相対的に電圧降下が小さい部分に比べて隣接したコンタクトホール間の間隔が小さくなるように配列されることを特徴とする請求項１１に記載の有機電界発光表示装置。
【請求項１３】
前記コンタクトホールの大きさは相互に同一であることを特徴とする請求項９に記載の有機電界発光表示装置。
【請求項１４】
前記コンタクトホールは第２電源ラインの短縮方向に配列される前記コンタクトホールの個数が第２電源ラインの長軸方向に電圧降下が大きい領域と電圧降下が小さい領域で相互に同一であることを特徴とする請求項１に記載の有機電界発光表示装置。
【請求項１５】
前記コンタクトホールは電圧降下が大きい部分から電圧降下が小さい部分側への間隔が隣接したコンタクトホール間に相互に相異なるように配列されることを特徴とする請求項１４に記載の有機電界発光表示装置。
【請求項１６】
前記コンタクトホールは前記電源電圧の電圧降下が大きい部分で相対的に電圧降下が小さい部分に比べて隣接したコンタクトホール間の間隔が小さくなるように配列されることを特徴とする請求項１５に記載の有機電界発光表示装置。
【請求項１７】
前記コンタクトホールの大きさは相互に同一であったりまたは相互に相異なることを特徴とする請求項１４に記載の有機電界発光表示装置。
【請求項１８】
各第２電源ラインの長軸方向または短縮方向に配列されたコンタクトホールの大きさは相異なっており、電圧降下が大きい部分から小さい部分に行けば行くほどコンタクトホールの総長さが減少するように複数のコンタクトホールが配列されることを特徴とする請求項１に記載の有機電界発光表示装置。
【請求項１９】
それぞれ第１及び第２電極そして第１及び第２電極間に介在した有機薄膜層を備える複数の画素が配列された画素領域と、
前記画素領域の画素に第１レベルの電圧を提供するための第１電源ラインと、
第２電極に第２レベルの電圧を提供するための、少なくとも前記第２電極と重なる領域を備える第２電源ラインを含み、
前記第２電源ラインは前記画素領域の複数の側面のうち少なくとも２側面に配列されており、
前記２側面に配列された第２電源ラインのうち少なくとも一つは前記第２電極との接続のための複数のコンタクトホールを備えて、
前記複数のコンタクトホールは前記第２電源ラインと第２電極の重畳領域の二等分線を基準にして非対称に配列されることを特徴とする有機電界発光表示装置。
【請求項２０】
前記コンタクトホールは第２電源ラインの長軸方向に少なくても二個以上に構成されており、前記第２電源ラインの長軸方向への長さが相異なることを特徴とする請求項１９に記載の有機電界発光表示装置。
【請求項２１】
前記コンタクトホールは電圧降下が大きい領域でのコンタクトホールの面積が電圧降下が小さい領域でのコンタクトホールの面積より大きいことを特徴とする請求項１９に記載の有機電界発光表示装置。
【請求項２２】
前記コンタクトホールは第２電源ラインの長軸方向に少なくても３個以上に構成されており、電圧降下が大きい領域での第２電源ラインの長軸方向に隣接した二つのコンタクトホール間の間隔と電圧降下が小さい領域での第２電源ラインの長軸方向に隣接した二つのコンタクトホール間の間隔が相異なることを特徴とする請求項１９に記載の有機電界発光表示装置。
【請求項２３】
前記第２電源ラインの短縮方向に配列される前記コンタクトホールの個数が第２電源ラインの長軸方向に電圧降下が大きい領域と電圧降下が小さい領域で相異なることを特徴とする請求項１９に記載の有機電界発光表示装置。
【請求項２４】
前記コンタクトホールは電圧降下が大きい部分から電圧降下が小さい部分側への間隔が隣接したコンタクトホール間に相互に相異なるように配列されることを特徴とする請求項１９に記載の有機電界発光表示装置。
【請求項２５】
前記コンタクトホールは前記電源電圧の電圧降下が大きい部分で相対的に電圧降下が小さい部分に比べて隣接したコンタクトホール間の間隔が小さくなるように配列されることを特徴とする請求項２０に記載の有機電界発光表示装置。
【請求項２６】
前記コンタクトホールは各列に配列されるコンタクトホールの個数が同一であることを特徴とする請求項２５に記載の有機電界発光表示装置。
【請求項２７】
各列と行に配列されたコンタクトホールの大きさは同一であることを特徴とする請求項１９に記載の有機電界発光表示装置。
【請求項２８】
各列と行に配列されたコンタクトホールの大きさは相異なっており、電圧降下が大きい部分から小さい部分に行けば行くほどコンタクトホールの総長さが増加するように複数のコンタクトホールが配列されることを特徴とする請求項１９に記載の有機電界発光表示装置。
【請求項２９】
それぞれ第１及び第２電極そして第１及び第２電極間に介在した有機薄膜層を備える複数の画素が配列された画素領域と、
前記画素領域の画素に第１レベルの電圧を提供するための第１電源ラインと、
第２電極に第２レベルの電圧を提供するための、少なくとも前記第２電極と重なる領域を備える第２電源ラインを含み、
前記第２電源ラインは前記画素領域の複数の側面のうち少なくとも一側面に配列されて複数のコンタクトホールを備えて、
前記複数のコンタクトホールの周長の総合は前記第２電極と第２電源ラインの重畳領域の周長より大きいことを特徴とする有機電界発光表示装置。
【請求項３０】
前記複数のコンタクトホールは前記第２電源ラインと第２電極の重畳領域の二等分線を基準にして非対称に配列されることを特徴とする請求項２９に記載の有機電界発光表示装置。
【請求項３１】
前記コンタクトホールは第２電源ラインの長軸方向に少なくても二個以上に構成されており、前記第２電源ラインの長軸方向への長さが相異なることを特徴とする請求項２９に記載の有機電界発光表示装置。
【請求項３２】
前記コンタクトホールは電圧降下が大きい領域でのコンタクトホールの面積が電圧降下が小さい領域でのコンタクトホールの面積より大きいことを特徴とする請求項２９に記載の有機電界発光表示装置。
【請求項３３】
前記コンタクトホールは第２電源ラインの長軸方向に少なくても３個以上に構成されており、電圧降下が大きい領域での第２電源ラインの長軸方向に隣接した二つのコンタクトホール間の間隔と電圧降下が小さい領域での第２電源ラインの長軸方向に隣接した二つのコンタクトホール間の間隔が相異なることを特徴とする請求項２９に記載の有機電界発光表示装置。
【請求項３４】
前記第２電源ラインの短縮方向に配列される前記コンタクトホールの個数が第２電源ラインの長軸方向に電圧降下が大きい領域と電圧降下が小さい領域で相異なることを特徴とする請求項２９に記載の有機電界発光表示装置。
【請求項３５】
前記コンタクトホールは電圧降下が大きい部分から電圧降下が小さい部分側への間隔が隣接したコンタクトホール間に相互に相異なるように配列されることを特徴とする請求項２９に記載の有機電界発光表示装置。
【請求項３６】
前記コンタクトホールは前記電源電圧の電圧降下が大きい部分で相対的に電圧降下が小さい部分に比べて隣接したコンタクトホール間の間隔が小さくなるように配列されることを特徴とする請求項３５に記載の有機電界発光表示装置。
【請求項３７】
前記コンタクトホールは各列に配列されるコンタクトホールの個数が同一であることを特徴とする請求項３６に記載の有機電界発光表示装置。
【請求項３８】
各列と行に配列されたコンタクトホールの大きさは同一であることを特徴とする請求項２９に記載の有機電界発光表示装置。
【請求項３９】
各列と行に配列されたコンタクトホールの大きさは相異なっており、電圧降下が大きい部分から小さい部分に行けば行くほどコンタクトホールの総長さが減少するように複数のコンタクトホールが配列されることを特徴とする請求項２９に記載の有機電界発光表示装置。
【発明の詳細な説明】
【技術分野】
【０００１】
本発明は有機電界発光表示装置に係り、さらに詳細にはカソード電極とカソード電源ラインを連結するための複数個のコンタクトホールを非対称的に形成して電源電圧ラインの電圧降下を補償できる有機電界発光表示装置に関する。
【背景技術】
【０００２】
図１２は、有機電界発光表示装置を示した平面図である。
【０００３】
図１２を参照すると、有機電界発光表示装置３００は複数の画素を備えた画素領域３６０と、前記画素領域３６０の上側と左、右側に配列されて電源電圧を印加するための上部電源電圧ライン３１０と、前記画素領域３６０の下側に配列されて電源電圧を印加するための下部電源電圧ライン３３０と、前記上部電源電圧ライン３１０と下部電源電圧ライン３３０とを連結するために前記画素領域３６０に対応して配列される画素電源電圧ライン３１１と、選択信号を出力するスキャンドライバー３４０と、データ信号を出力するデータドライバー３５０とを備える。
【０００４】
また、有機電界発光表示装置３００は画素領域３６０に対応して配列されたカソード電極３２２と、前記画素領域３６０の一側に形成されるカソード電源ライン３２０をさらに含む。前記カソード電源ライン３２０は図面上には図示していないが、前記カソード電極３２２との連結のためのコンタクトホールを備える。
【０００５】
図１３は、従来の有機電界発光表示装置において、カソード電極との連結のための一つのコンタクトホールを備えたカソード電源ラインの平面構造を示したものである。
【０００６】
図１３を参照すると、従来はカソード電源ライン３２０に一つのコンタクトホール３２１が配列されて前記コンタクトホール３２１を介してカソード電源ライン３２０がカソード電極３２２に連結されており、外部端子から前記カソード電源ライン３２０に提供されるカソード電圧が前記コンタクトホール３２１を介して前記カソード電極３２２に提供される。
【０００７】
前記したような構成を有する従来の有機電界発光表示装置はスキャンドライバー３４０とデータドライバー３５０から選択信号とデータ信号が画素領域３６０に印加されて、前記電源ライン３１０、３３０から電源電圧とカソード電源ライン３２０からカソード電極３２２にカソード電圧が印加されると、前記画素領域３６０に配列された各画素を構成するスイッチングトランジスタ及び駆動トランジスタ（図示せず）が駆動されてＥＬ素子（図面上に図示せず）が発光するようになる。
【０００８】
図１４は、図１２に示した有機電界発光表示装置において、前記電源電圧ライン３１０、３３０から画素領域３６０に提供する電源電圧の分布を示したものである。
【０００９】
図１４を参照すると、画素領域３６０での電源電圧の分布は電源電圧が供給される部分から遠くなるほど電圧降下が大きくて比較的低い電源電圧が印加される領域と、電源電圧が供給される部分から近いほど電圧降下が小さくて相対的に高い電源電圧が印加される領域とに分けることができる。
【００１０】
図１４から、前記電源電圧は電源電圧が供給される部分、すなわち電源電圧が入力される外部端子から距離が遠くなるほど電源電圧の電圧降下により画素領域に印加される電源電圧が低くなることが分かる。また、カソード電源ライン３２０との距離が遠くなるほどまたカソード電圧が印加される外部端子から遠くなるほど電源電圧が低くなるようになる。この時、電源電圧の等電位線は画素領域３６０の下側から上側へ行けば行くほどそのレベルが低くなるが、これは電源電圧の供給側との距離が遠くなるほど電源供給ラインの抵抗が増加して、カソード電圧の供給側と距離が遠くなるほどカソード電源ラインの抵抗が増加することによって電圧降下（ＩＲ  ｄｒｏｐ）が増加するためである。
【００１１】
すなわち、電源電圧の供給側から位置によって電源電圧ラインの電圧降下幅が異なるため、電源電圧の供給側に近接した部分では電圧降下が小さくて相対的に高い電源電圧が提供されて、電源電圧の供給側で遠い部分では電圧降下が大きくて相対的に低い電源電圧が提供されるものである。
【００１２】
これと同様に、従来のカソード電源ライン３２０でのカソード電圧の分布は前記電源電圧ラインの電源電圧分布と同様にカソード電圧が入力される外部端子から距離が遠くなれば遠くなるほどカソード電源ラインの抵抗成分により電圧降下が増加するため外部端子に近い部分では電圧降下量が少なくて比較的高いカソード電圧が提供されて、外部端子と遠い部分では電圧降下量が大きくて相対的に低いカソード電圧が供給される。すなわち、カソード電源ライン３２０のカソード電圧供給側から距離が遠いほど低いカソード電圧が分布することが分かる。
【００１３】
それゆえ、従来では画素領域のうち電源電圧の電圧降下が大きい部分でカソード電極の電圧降下が大きく発生するので、電源電圧の電圧降下とカソード電極の電圧降下が重なって、画素領域で輝度不均一問題がより一層深刻になる問題点があった。また、従来ではカソード電源ラインが画素領域の一側にだけ形成されるので、カソード電圧の分布がより一層不均一になるので、画素領域の発光輝度がより一層不均一になる問題点がある。
【発明の開示】
【発明が解決しようとする課題】
【００１４】
したがって、本発明は、前記のような従来の問題点を解決するためのものであって、カソードバスラインを画素領域の少なくとも両側に配列して電源電圧の電圧降下を補償して輝度均一度を向上させることができる有機電界発光表示装置を提供することにその目的がある。
【００１５】
本発明の他の目的は、カソード電極とカソード電源ラインを連結させるためのコンタクトホールを非対称的に複数個形成して電源電圧の電圧降下による輝度不均一を補償できる有機電界発光表示装置を提供することにある。
【課題を解決するための手段】
【００１６】
このための本発明はそれぞれ第１及び第２電極そして第１及び第２電極間に介在した有機薄膜層を備える複数の画素が配列された画素領域と；前記画素領域の画素に第１レベルの電圧を提供するための第１電源ラインと；第２電極に第２レベルの電圧を提供するための、少なくとも前記第２電極と重なる領域を備える第２電源ラインを含み、前記第２電源ラインは前記第２電極との連結のための複数のコンタクトホールを備えて、前記複数のコンタクトホールは前記第２電源ラインと第２電極の重畳領域の二等分線を基準にして非対称に配列される有機電界発光表示装置を提供する。
【００１７】
前記コンタクトホールは少なくとも二個以上重畳領域に配列される。前記コンタクトホールは電圧降下が大きい領域でのコンタクトホールの面積が電圧降下が小さい領域でのコンタクトホールの面積より大きいことを特徴とする。また、前記コンタクトホールは第２電源ラインの長軸方向に少なくても二個以上に構成されており、前記第２電源ラインの長軸方向への長さが相異なることを特徴とする。前記コンタクトホールは電圧降下が大きい領域での第２電源ラインの長軸方向の長さが電圧降下が小さい領域での第２電源ラインの長軸方向の長さより長いことを特徴とする。
【００１８】
また、前記コンタクトホールは第２電源ラインの長軸方向に少なくても３個以上に構成されており、電圧降下が大きい領域での第２電源ラインの長軸方向に隣接した二つのコンタクトホール間の間隔と電圧降下が小さい領域での第２電源ラインの長軸方向に隣接した二つのコンタクトホール間の間隔が相異なることを特徴とする。前記コンタクトホールは電圧降下が大きい領域での第２電源ラインの長軸方向に隣接した二つのコンタクトホール間の間隔は電圧降下が小さい領域での第２電源ラインの長軸方向に隣接した二つのコンタクトホール間の間隔より短いことを特徴とする。更に、前記コンタクトホールは第２電源ラインの短縮方向に少なくても２個以上配列されて、前記コンタクトホールの第２電源ラインの長軸方向長さが相異なっており、電圧降下が大きい領域でのコンタクトホールの第２電源ラインの短縮方向の長さの総合は電圧降下が小さい領域でのコンタクトホールの第２電源ラインの短縮方向長さの総合より大きいことを特徴とする。
【００１９】
前記第２電源ラインの短縮方向に配列される前記コンタクトホールの個数が第２電源ラインの長軸方向に電圧降下が大きい領域と電圧降下が小さい領域で相異なることを特徴とする。前記コンタクトホールは電圧降下が大きい部分から電圧降下が小さい部分側への間隔が隣接したコンタクトホール間に相互に同一であるように配列されたことを特徴とする。また、前記コンタクトホールは電圧降下が大きい部分から電圧降下が小さい部分側への間隔が隣接したコンタクトホール間に相互に相異なるように配列されたことを特徴とする。前記コンタクトホールは前記電源電圧の電圧降下が大きい部分で相対的に電圧降下が小さい部分に比べて隣接したコンタクトホール間の間隔が小さくなるように配列されたことを特徴とする。前記コンタクトホールの大きさは相互に同一であることを特徴とする。
【００２０】
前記コンタクトホールは第２電源ラインの短縮方向に配列される前記コンタクトホールの個数が第２電源ラインの長軸方向に電圧降下が大きい領域と電圧降下が小さい領域で相互に同一であることを特徴とする。前記コンタクトホールは電圧降下が大きい部分から電圧降下が小さい部分側への間隔が隣接したコンタクトホール間に相互に相異なるように配列されたことを特徴とする。前記コンタクトホールは前記電源電圧の電圧降下が大きい部分で相対的に電圧降下が小さい部分に比べて隣接したコンタクトホール間の間隔が小さくなるように配列されたことを特徴とする。前記コンタクトホールの大きさは相互に同一であることを特徴とする。また、各第２電源ラインの長軸方向または短縮方向に配列されたコンタクトホールの大きさは相異なっており、電圧降下が大きい部分から小さい部分に行けば行くほどコンタクトホールの総長さが減少するように複数のコンタクトホールが配列されることを特徴とする。
【００２１】
または、本発明はそれぞれ第１及び第２電極そして第１及び第２電極間に介在した有機薄膜層を備える複数の画素が配列された画素領域と；前記画素領域の画素に第１レベルの電圧を提供するための第１電源ラインと；第２電極に第２レベルの電圧を提供するための、少なくとも前記第２電極と重なる領域を備える第２電源ラインを含み、前記第２電源ラインは前記画素領域の複数の側面のうち少なくとも２側面に配列されており、前記２側面に配列された第２電源ラインのうち少なくとも一つは前記第２電極との連結のための複数のコンタクトホールを備えて、前記複数のコンタクトホールは前記第２電源ラインと第２電極の重畳領域の二等分線を基準にして非対称に配列される有機電界発光表示装置を提供する。
【００２２】
また、本発明はそれぞれ第１及び第２電極そして第１及び第２電極間に介在した有機薄膜層を備える複数の画素が配列された画素領域と；前記画素領域の画素に第１レベルの電圧を提供するための第１電源ラインと；第２電極に第２レベルの電圧を提供するための、少なくとも前記第２電極と重なる領域を備える第２電源ラインを含み、前記第２電源ラインは前記画素領域の複数の側面のうち少なくとも一側面に配列されて複数のコンタクトホールを備えて、前記複数のコンタクトホールの周長の総合は前記第２電極と第２電源ラインの重畳領域の周長より大きい有機電界発光表示装置を提供する。
【００２３】
前記コンタクトホールは第２電源ラインの長軸方向に少なくても二個以上に構成されており、前記第２電源ラインの長軸方向への長さが相異なることを特徴とする。前記コンタクトホールは電圧降下が大きい領域でのコンタクトホールの面積が電圧降下が小さい領域でのコンタクトホールの面積より大きいことを特徴とする。また、前記コンタクトホールは第２電源ラインの長軸方向に少なくても３個以上に構成されており、電圧降下が大きい領域での第２電源ラインの長軸方向に隣接した二つのコンタクトホール間の間隔と電圧降下が小さい領域での第２電源ラインの長軸方向に隣接した二つのコンタクトホール間の間隔が相異なることを特徴とする。
【００２４】
そして、前記第２電源ラインの短縮方向に配列される前記コンタクトホールの個数が第２電源ラインの長軸方向に電圧降下が大きい領域と電圧降下が小さい領域で相異なることを特徴とする。前記コンタクトホールは電圧降下が大きい部分から電圧降下が小さい部分側への間隔が隣接したコンタクトホール間に相互に相異なるように配列されることを特徴とする。また、前記コンタクトホールは前記電源電圧の電圧降下が大きい部分で相対的に電圧降下が小さい部分に比べて隣接したコンタクトホール間の間隔が小さくなるように配列されることを特徴とする。前記コンタクトホールは各列に配列されるコンタクトホールの個数が同一であることを特徴とする。各列と行に配列されたコンタクトホールの大きさは同一であることを特徴とする。各列と行に配列されたコンタクトホールの大きさは相異なっており、電圧降下が大きい部分から小さい部分に行けば行くほどコンタクトホールの総長さが減少するように複数のコンタクトホールが配列されることを特徴とする。
【発明の効果】
【００２５】
上述したような本発明は電源電圧ラインに対応するように少なくとも前記画素領域の両側にカソード電圧ラインを構成して、前記カソード電圧ラインのコンタクトホールを複数個に形成して非対称で構成することによって前記電源電圧ラインとの距離による電圧降下と正反対の電圧降下が発生することによって画素領域の輝度が均一になっており、共に印加される電流の制御が容易である効果がある。  
前記発明の詳細な説明は本発明の特定実施形態を例に挙げて説明したが、本発明はこれに限られるのではなく、本発明の概念を離脱しない範囲内でこの発明が属する技術分野で通常の知識を有する者によって色々な形態に変形または変更実施することも本発明の概念に含まれることはもちろんである。
【発明を実施するための最良の形態】
【００２６】
以下、本発明の望ましい実施形態を添付した図面を参照しながら詳細に説明する。
【００２７】
図１は、本発明の実施形態による有機電界発光表示装置の平面図を示したものである。図１を参照すると、本発明の実施形態による有機電界発光表示装置２００は複数の画素が配列された画素領域２６０と、前記画素領域２６０の上部側と左、右側に配列されて電源電圧を前記画素領域２６０に提供する上部電源電圧ライン２１０と、前記画素領域２６０の下側に配列されて前記画素領域２６０に電源電圧を提供する下部電源電圧ライン２３０と、前記上部電源電圧ライン２１０と下部電源電圧ライン２３０に連結されるように前記画素領域２６０に対応して配列される画素電源電圧ライン２１１と、前記画素領域２６０に選択信号を出力するスキャンドライバー２４０と、前記画素領域２６０にデータ信号を出力するデータドライバー２５０を含む。
【００２８】
また、本発明の実施形態による有機電界発光表示装置は前記画素領域２６０の上部に配列されるカソード電極２２０と、前記画素領域２６０の一側に前記カソード電極２２０とオーバーラップされるように配列されて前記カソード電極２２０にカソード電圧を提供する第１カソード電源ライン２２１と、前記画素領域２６０の他側に前記カソード電極２２０とオーバーラップされるように配列されて前記カソード電極２２０にカソード電圧を提供するための第２カソード電源ライン２２２をさらに備える。
【００２９】
前記第１及び第２カソード電源ライン２２１、２２２はそれぞれ前記カソード電極２２０との連結のための複数のコンタクトホール２２３を備える。第１及び第２カソード電源ライン２２１、２２２の複数のコンタクトホールは非対称的に配列される。前記複数のコンタクトホールは図２ないし図１１に示したように、カソード電源ラインを介して発生する電圧降下を補償できるように少なくとも２個以上のコンタクトホールが非対称的に配列される。
【００３０】
（第１実施形態）  
図２は、本発明の第１実施形態による有機電界発光表示装置において、カソード電源ラインの平面構造を図示したことであって、前記カソード電極２２０と重なる領域に限定させて示したものである。
【００３１】
図２を参照すると、前記カソード電源ライン２２１、２２２はそれぞれカソード電極２２０との重畳領域に複数のコンタクトホール２２３が非対称的に配列される。この時、複数のコンタクトホール２２３はカソード電源ライン２２１、２２２のうちカソード電極との重畳領域の長軸方向の二等分線を基準にして非対称的に配列される。すなわち、カソード電極２２０と重なる領域のうちカソード電圧が供給される外部端子に隣接した部分にはコンタクトホール２２３を配列しなくて、カソード電圧が供給される外部端子から一定距離だけ離れた部分に複数のコンタクトホール２２３を配列する。
【００３２】
本発明の第１実施形態によれば、複数のコンタクトホール２２３は隣接するコンタクトホール間に同一なピッチ（ｐｉｔｃｈ）を維持して列と行のマトリックス状に配列されており、複数のコンタクトホールそれぞれの大きさが同一であって、各列及び行、すなわち、長軸と短縮方向に配列されるコンタクトホールの個数が同一であることが望ましい。
【００３３】
有機電界発光表示装置において、前記上部及び下部電源電圧ライン２１０、２３０から前記画素電源電圧ライン２１１を介して前記画素領域２６０に供給される電源電圧は前記電源電圧ライン２１０、２３０の位置によってその分布が相異なる。すなわち、外部端子に近い部分では電圧降下が相対的に小さくて電源電圧が高く、外部端子から遠い部分では電圧降下が相対的に大きくて電源電圧が低い。
【００３４】
したがって、電源電圧ライン２１０、２３０を介して画素領域２６０に電源電圧が提供される時、前述の図１４に示したように外部端子と遠く離れた画素領域２６０の上側に配列された画素には電源電圧ライン２１０、２３０の電圧降下が相対的に大きくて低い電源電圧が提供されて、画素領域２６０の下側に配列される画素には電源電圧ライン２１０、２３０の電圧降下が相対的に小さくて高い電源電圧が提供されるようになる。
【００３５】
それゆえ、本発明ではカソード電源ライン２２１、２２２のうち電源電圧ラインの電圧降下が大きい部分に対応する部分には複数のコンタクトホール２２３を形成して、カソード電源ライン２２１、２２２のうち電源電圧ライン２１０、２３０の電圧降下が小さい部分に対応する部分にはコンタクトホール２２３を形成しない。すなわち、前記カソード電源ライン２２１、２２２に配列されたコンタクトホール２２３は電圧降下が大きい部分には長軸及び短縮方向にそれぞれ同一な数のコンタクトホール２２３が少なくとも２個以上形成されて、隣接したコンタクトホール２２３の短縮方向での距離ｔ５３、ｔ５４は同じであり、また長軸方向での間隔ｔ５１、ｔ５２は同一である。したがって、カソード電源ライン２２１、２２２での電流密度はコンタクトホール２２３の周辺部に集中して、コンタクトホール２２３の中心部では電流密度が減少するようになる。
【００３６】
それゆえ、従来のようにコンタクトホールを形成する場合に比べて本発明のように複数のコンタクトホールを形成すればそれぞれのコンタクトホールの周長を合せたコンタクトホールの総長さが増加するようになってカソード電源ラインの電流移動度が増加するようになり、これによりカソードバスラインの電圧降下を防止するようになる。この時、カソード電極とカソード電源ラインが重なる領域に配列された複数のコンタクトホールの周長の総合は前記カソード電極とカソード電源ラインの重畳領域の周長より大きいことが望ましい。
【００３７】
したがって、本発明のようにカソード電源ライン２２１、２２２のうち電源供給ラインの電圧降下が小さい部分に対応する部分すなわち、外部端子に近接した部分にはコンタクトホールを形成しないのでカソード電源ラインの電圧降下が大きくて、電源供給ラインの電圧降下が大きい部分に対応する部分すなわち、外部端子から遠い部分では複数のコンタクトホールを形成することによってカソード電源ラインの電圧降下が小さくなる。
【００３８】
これを詳細に説明すると、カソード電極２２０との重畳領域のうち、画素領域２６０で電源電圧ライン２１０、２３０の電圧降下が大きい部分に対応してカソード電源ライン２２１、２２２に複数のコンタクトホール２２３を配列することによって有機ＥＬ素子（図示せず）のアノードを介してカソードに印加される電流がカソード電源ライン２２１、２２２に配列された複数のコンタクトホール２２３に集中するようにしてカソード電源ライン２２１、２２２の電圧降下を減少させて、反面電源電圧ライン２１０、２３０の電圧降下が小さい部分に対応してコンタクトホール２２３を形成しないのでカソード電源ライン２２１、２２２の電圧降下を大きくする。
【００３９】
それゆえ、本発明の第１実施形態ではカソード電源ラインを画素領域の両側に形成してカソード電源ラインの電圧降下を補償して、またカソード電源ラインに非対称的に複数のコンタクトホールを形成することによって、カソード電源ラインに沿って発生する電圧降下を防止して、図５のような電源電圧分布を得ることができる。図５から、等電位線はカソード電圧ラインを画素領域の両側に配列してカソード電源ラインに複数のコンタクトホールを非対称的に形成するので、左右対称構造を形成するだけでなくカソード電源ラインの電圧降下減少によって等電位線の間隔△Ｖ４が前述の図１４に示した従来の等電位線の間隔△Ｖ１より大きいことが分かる。
【００４０】
本発明の第１実施形態ではカソード電源ラインが画素領域の両側に配列されてそれぞれ非対称的に配列される複数のコンタクトホールを備えることを例示したが、前述の図１２のように画素領域の一側にだけ配列されて複数のコンタクトホールが非対称的に配列される場合にも図４のような電源電圧分布を得ることができる。カソード電源ラインが画素領域の一側にだけ形成される場合にもカソード電源ラインの電圧降下減少によって、図４でのように電源電圧が左右非対称的に配列されるが、カソード電源ライン等電位線の間隔△Ｖ２が図１４に示した従来の△Ｖ１より増えるので、電源電圧の電圧降下を補償するようになる。
【００４１】
また、カソード電源ラインが画素領域の両側に配列されて、複数のコンタクトホールが対称的に配列される場合にも本願発明のような電圧降下補償効果を得ることができる。すなわち、図３に示したように、電源ラインが画素領域の両側に形成される場合には電源電圧の等電位線が左右対称的に配列されるだけでなく電源電圧の等電位線間の間隔△Ｖ３がカソード電源ラインの電圧降下減少によって図１４に示した従来の△Ｖ１より大きいことが分かる。それゆえ、本発明では画素の複数の側面のうち少なくとも一側面に複数のコンタクトホールを非対称的に配列すればカソード電源ラインの電圧降下防止により電源電圧の電圧降下を補償できる。
【００４２】
図１４に示した従来の電源電圧分布及び図３−図５に示した本発明の電源電圧の分布によれば、カソード電源ラインの電圧降下が従来より減少されるので、従来の等電位線間の間隔△Ｖ１より本発明の等電位線間の間隔△Ｖ２、△Ｖ３、△Ｖ４が大きいことが分かる。すなわち、複数のコンタクトが非対称的に配列する場合の等電位線間の間隔△Ｖ３または△Ｖ４が複数のコンタクトホールが対称的に配列する場合の等電位線間の間隔△Ｖ２より大きくて、△Ｖ２は従来の等電位線の間隔△Ｖ１より大きいことが分かる。
【００４３】
したがって、カソード電源ラインでの電圧降下を電源電圧ラインの電圧降下とは反対に誘導して電源電圧ラインによる電圧降下を補償でき、これにより電源供給ラインの電圧降下による輝度不均一を改善できる。
【００４４】
（第２実施形態）  
図６は、本発明の第２実施形態による有機電界発光表示装置において、カソード電極との連結のためのコンタクトホールを備えたカソード電源ラインの平面構造を示したものである。
【００４５】
図６を参照すると、前記カソード電圧ライン２２１、２２２はそれぞれカソード電極２２０との重畳領域に複数のコンタクトホール２２４が非対称的に配列される。この時、複数のコンタクトホール２２４はカソード電源ライン２２１、２２２のうちカソード電極との重畳領域の長軸方向の二等分線を基準にして非対称的に配列される。すなわち、カソード電圧が供給される外部端子に隣接した部分にはコンタクトホール２２４を配列しなくて、カソード電圧が供給される外部端子から一定距離だけ離れた部分にコンタクトホール２２４を配列する。
【００４６】
本発明の第２実施形態によれば、複数のコンタクトホール２２４は列と行のマトリックス形態に配列されて、各行に配列されたコンタクトホールの個数が同一であってまた各列に配列されたコンタクトホールの個数が同一であるように各列及び行に少なくとも２個以上のコンタクトホールが配列される。
【００４７】
この時、前記コンタクトホール２２４はカソード電源ライン２２１、２２２の外部端子から遠くなるほどコンタクトホールの大きさが増加して、隣接したコンタクトホール間の長軸方向の間隔ｔ６１、ｔ６２は同一であって、カソード電極と重なったカソード電源ラインのうち電源電圧の電圧降下が大きい領域２３１内の隣接するコンタクトホール２２４間の短縮方向の間隔ｔ６３は電圧降下が小さい領域２３２内の隣接するコンタクトホール２２４の短縮方向の間隔ｔ６４より短い。したがって前述したように前記電圧降下が大きい領域２３１は電圧降下が小さい領域２３２に比べて各行に含まれたコンタクトホール２２４の面積が大きい。
【００４８】
すなわち、電圧降下が大きい領域２３１と電圧降下が小さい領域２３２の大きさが同一であって、同一な個数のコンタクトホールが配列される場合、電圧降下が大きい領域２３１で隣接する２個のコンタクトホール及びこれらの間の距離Ｌ６１は電圧降下が小さい領域２３２で隣接する２個のコンタクトホール及びこれら間の距離Ｌ６２より大きい。長軸方向のコンタクトホール間の距離ｔ６１、ｔ６２が同一な反面短縮方向でのコンタクトホール間の距離ｔ６４はｔ６３より大きいので、電圧降下が大きい領域２３１でのコンタクトホールの総周長及び総面積より電圧降下が小さい領域２３２でのコンタクトホールの総周長及び総面積が小さくなる。
【００４９】
それゆえ、電圧降下が小さい部分から電圧降下が大きい部分に行けば行くほど電流密度が大きくなるので、配列されるコンタクトホール２２４の大きさ及び間隔偏差による電圧降下が発生する。したがって、前記カソード電源ライン２２１、２２２の電圧分布は前記電源電圧ライン２１０、２３０の電圧分布と正反対の電圧分布を有するようになるので前記電源電圧ライン２１０、２３０の電圧降下を相殺させるようになる。この時、カソード電極とカソード電源ラインが重なる領域に配列された複数のコンタクトホール２２４の周長の総合は前記カソード電極とカソード電源ラインの重畳領域の周長より大きいことが望ましい。
【００５０】
（第３実施形態）  
図７は、本発明の第３実施形態による有機電界発光表示装置において、複数のコンタクトホールを備えたカソード電源ラインの平面構造である。
【００５１】
図７を参照すると、前記カソード電源ライン２２１、２２２はそれぞれカソード電極２２０との重畳領域に複数のコンタクトホール２２５が非対称的に配列される。この時、複数のコンタクトホール２２５はカソード電源ライン２２１、２２２のうちカソード電極との重畳領域の長軸方向の二等分線を基準にして非対称的に配列される。すなわち、カソード電極２２０と重なる領域のうちカソード電圧が供給される外部端子に隣接した部分にはコンタクトホール２２５を配列しなくて、カソード電圧が供給される外部端子から一定距離だけ離れた部分に複数のコンタクトホール２２５を配列する。
【００５２】
本発明の第３実施形態によれば、複数のコンタクトホール２２５は列と行のマトリックス形態に配列されて、各行に配列されたコンタクトホールの個数が同一であってまた各列に配列されたコンタクトホールの個数が同一であるように配列されて、各コンタクトホールの大きさが同一である。
【００５３】
すなわち、前記コンタクトホールはカソード電源ラインの長軸方向に少なくても３個以上に構成されており、電圧降下が大きい領域２３３でのカソード電源ライン２２１、２２２の長軸方向に隣接するコンタクトホール間の間隔ｔ７３は電圧降下が小さい領域２３４でのカソード電源ライン２２１、２２２の長軸方向に隣接するコンタクトホール間の間隔ｔ７４より小さい。
【００５４】
それゆえ、電圧降下が小さい部分から電圧降下が大きい部分に行けば行くほど電流密度が大きくなるので、配列されるコンタクトホール２２５の間隔偏差による電圧降下が発生する。したがって、前記カソード電源ライン２２１、２２２の電圧分布は前記電源電圧ライン２１０、２３０の電圧分布と正反対の電圧分布を有するようになるので前記電源電圧ライン２１０、２３０の電圧降下を相殺させるようになる。この時、カソード電極とカソード電源ラインが重なる領域に配列された複数のコンタクトホール２２５の周長の総合は前記カソード電極とカソード電源ラインの重畳領域の周長より大きいことが望ましい。
【００５５】
（第４実施形態）  
図８は、本発明の第４実施形態による有機電界発光表示装置において、カソード電極との連結のためのコンタクトホールを備えたカソード電源ラインの平面構造を示したものである。
【００５６】
図８を参照すると、前記カソード電圧ライン２２１、２２２はそれぞれカソード電極２２０との重畳領域に複数のコンタクトホール２２６が非対称的に配列される。この時、複数のコンタクトホール２２６はカソード電源ライン２２１、２２２のうちカソード電極との重畳領域の長軸方向の二等分線を基準にして非対称的に配列される。すなわち、カソード電圧が供給される外部端子に隣接した部分にはコンタクトホール２２６を配列しなくて、カソード電圧が供給される外部端子から一定距離だけ離れた部分にコンタクトホール２２６を配列する。
【００５７】
この時、電圧降下が大きい部分から電圧降下が小さい部分に行けば行くほど隣接するコンタクトホール２２６の間隔は同一であるが、電源電圧ライン２１０、２３０の電圧降下にしたがって各列に構成されるコンタクトホール２２６の個数が相異なる。この時、少なくとも各列に配列されるコンタクトホールの大きさは同一である。前記コンタクトホールはカソード電源ラインの短縮方向に沿って少なくとも２個以上が配列されてカソード電源ラインの長軸方向に沿って相異なる個数が配列される。
【００５８】
したがって、カソード電源ラインの短縮方向の各列に配列されたコンタクトホールの大きさをＣ１、Ｃ２、Ｃ３、Ｃ４、Ｃ５及びＣ６という時、電源電圧の電圧降下によって前記カソード電源ラインの長軸方向に配列されるコンタクトホールの個数が相異なるので、電圧降下が大きいＡＡ′領域のコンタクトホール２２６の長さＣ１、Ｃ２、Ｃ３、Ｃ４、Ｃ５、Ｃ６の総合（合計）は電圧降下が小さいＢＢ′領域のコンタクトホール２２６の長さＣ１、Ｃ２、Ｃ３の総合（合計）より大きい。
【００５９】
したがって、前記電源電圧ライン２１０、２３０の電圧降下が大きいほどカソード電源ラインの短縮方向に配列される前記コンタクトホール２２６の数が増えることによって電流密度が増加し、電圧降下が小さいほど前記コンタクトホール２２６の数が減少して電流密度が減少するようになるので、前記電源電圧ライン２１０、２３０の電圧降下を相殺させるようになる。この時、カソード電極とカソード電源ラインが重なる領域に配列された複数のコンタクトホール２２６の周長の総合（合計）は前記カソード電極とカソード電源ラインの重畳領域の周長より大きいことが望ましい。
【００６０】
（第５実施形態）  
図９は、本発明の第５実施形態による有機電界発光表示装置において、複数のコンタクトホールを備えたカソード電源ラインの平面構造である。
【００６１】
図９を参照すると、前記カソード電源ライン２２１、２２２はそれぞれカソード電極２２０との重畳領域に複数のコンタクトホール２２７ａ、２２７ｂが非対称的に配列される。この時、複数のコンタクトホール２２７ａ、２２７ｂはカソード電源ライン２２１、２２２のうちカソード電極との重畳領域の長軸方向の二等分線を基準にして非対称的に配列される。すなわち、カソード電極２２０と重なる領域のうちカソード電圧が供給される外部端子に隣接した部分にはコンタクトホール２２７ａ、２２７ｂを配列しなくて、カソード電圧が供給される外部端子から一定の距離だけ離れた部分に複数のコンタクトホール２２７ａ、２２７ｂを配列する。
【００６２】
本発明の第５実施形態によれば、カソード電源ライン２２１、２２２の長軸方向に一列に配列されて、隣接するコンタクトホール間の間隔ｔ９１、ｔ９２は同一であり、各コンタクトホールの大きさが相異なる。前記コンタクトホールはカソード電源ラインの長軸方向に少なくても２個以上に配列されており、電圧降下が大きい領域でコンタクトホール２２７ａのカソード電源ライン２２１、２２２の長軸方向の長さＬ６５より電圧降下が小さい領域でコンタクトホール２２７ｂのカソード電源ライン２２１、２２２の長軸方向の長さＬ６６が小さい。また、電圧降下が大きい領域でコンタクトホール２２７ａの面積をＳ１といって、電圧降下が小さい領域でのコンタクトホール２２７ｂの面積をＳ２といえば、電圧降下が大きい領域でコンタクトホール２２７ａの面積は電圧降下が小さい領域でのコンタクトホール２２７ｂの面積より大きい。この時、カソード電極とカソード電源ラインが重なる領域に配列された複数のコンタクトホールの周長の総合（合計）は前記カソード電極とカソード電源ラインの重畳領域の周長より大きいことが望ましい。
【００６３】
それゆえ、電圧降下が小さい部分から電圧降下が大きい部分に行けば行くほど電流密度が大きくなるので、配列されるコンタクトホール２２７ａ、２２７ｂの大きさによる電圧降下が発生する。したがって、前記カソード電源ライン２２１、２２２の電圧分布は前記電源電圧ライン２１０、２３０の電圧分布と正反対の電圧分布を有するようになるので前記電源電圧ライン２１０、２３０の電圧降下を相殺させるようになる。
【００６４】
（第６実施形態）  
図１０は本発明の第６実施形態による有機電界発光表示装置において、複数のコンタクトホールを備えたカソード電源ラインの平面構造である。
【００６５】
図１０を参照すると、前記カソード電源ライン２２１、２２２はそれぞれカソード電極２２０との重畳領域に複数のコンタクトホール２２８ａ、２２８ｂ、２２８ｃが非対称的に配列される。この時、複数のコンタクトホール２２８ａ、２２８ｂ、２２８ｃはカソード電源ライン２２１、２２２のうちカソード電極との重畳領域の長軸方向の二等分線を基準にして非対称的に配列される。すなわち、カソード電極２２０と重なる領域のうちカソード電圧が供給される外部端子に隣接した部分から一定の距離だけ離れて複数のコンタクトホール２２８ａ、２２８ｂ、２２８ｃのうち隣接するコンタクトホール間の間隔が相互に相異なるように配列する。
【００６６】
本発明の第６実施形態によれば、カソード電源ライン２２１、２２２の長軸方向に一列に少なくても３個以上配列されて、各コンタクトホールの大きさは同一である。前記コンタクトホールは電圧降下が大きい領域で隣接するコンタクトホール２２８ａ、２２８ｂ間のカソード電源ライン２２１、２２２の長軸方向への間隔ｔ１５より電圧降下が小さい領域でコンタクトホール２２８ｂ、２２８ｃ間のカソード電源ライン２２１、２２２の長軸方向への間隔ｔ１６が小さい。この時、カソード電極とカソード電源ラインが重なる領域に配列された複数のコンタクトホール２２８ａ−２２８ｃの周長の総合（合計）は前記カソード電極とカソード電源ラインの重畳領域の周長より大きいことが望ましい。
【００６７】
それゆえ、電圧降下が小さい部分から電圧降下が大きい部分に行けば行くほど電流密度が大きくなるので、配列されるコンタクトホール２２８ａ、２２８ｂ、２２８ｃ間の間隔による電圧降下が発生する。したがって、前記カソード電源ライン２２１、２２２の電圧分布は前記電源電圧ライン２１０、２３０の電圧分布と正反対の電圧分布を有するようになるので前記電源電圧ライン２１０、２３０の電圧降下を相殺させるようになる。
【００６８】
（第７実施形態）  
図１１は、本発明の第７実施形態による有機電界発光表示装置において、複数のコンタクトホールを備えたカソード電源ラインの平面構造である。
【００６９】
図１１を参照すると、前記カソード電源ライン２２１、２２２はそれぞれカソード電極２２０との重畳領域に複数のコンタクトホール２２９が非対称的に配列される。この時、複数のコンタクトホール２２９はカソード電源ライン２２１、２２２のうちカソード電極との重畳領域の長軸方向の二等分線を基準にして非対称的に配列される。
【００７０】
本発明の第７実施形態によれば、前記コンタクトホール２２９はカソード電源ライン２２１、２２２の短縮方向に少なくても２個以上配列されて、少なくとも長軸方向へのコンタクトホール２２９の長さが相異なる。この時、カソード電源ラインの短縮方向でのコンタクトホール２２９の大きさ及び隣接したコンタクトホール間の間隔はそれぞれ同じであったりまたは異なることができる。この時、カソード電極とカソード電源ラインが重なる領域に配列された複数のコンタクトホール２２９の周長の総合（合計）は前記カソード電極とカソード電源ラインの重畳領域の周長より大きいことが望ましい。
【００７１】
カソード電源ラインの短縮方向の各列に配列されたコンタクトホールの大きさをＣ７、Ｃ８、Ｃ９、Ｃ１０、Ｃ１１及びＣ１２という時、電源電圧の電圧降下によって前記カソード電源ラインの長軸方向へのコンタクトホールの長さが相異なるので、電圧降下が大きいＣＣ′領域のコンタクトホール２２９の長さＣ７、Ｃ８、Ｃ９、Ｃ１０、Ｃ１１、Ｃ１２の総合（合計）は電圧降下が小さいＤＤ′領域のコンタクトホール２２９の長さＣ７、Ｃ８、Ｃ９の総合（合計）より大きい。したがって、電圧降下が大きいＣＣ′領域のコンタクトホール２２９の面積の総合（合計）も電圧降下が小さいＤＤ′領域のコンタクトホール２２９の面積の総合（合計）より大きい。
【００７２】
したがって、前記カソード電源ライン２２１、２２２の電圧分布は前記電源電圧ライン２１０、２３０の電圧分布と正反対の電圧分布を有するようになるので、前記電源電圧ライン２１０、２３０の電圧降下を相殺させるようになる。
【００７３】
本発明の実施形態ではカソード電源ラインを画素領域の両側に形成して、両側に配列されたカソード電源ラインに複数のコンタクトホールが非対称的に配列されることを例示したが、画素領域だけでなく画素領域の少なくとも一側にカソード電源ラインを形成して前記カソード電源ラインに複数のコンタクトホールが非対称的に配列されるように構成することも可能である。
【００７４】
前記で説明したように、カソード電源ラインでの電流密度がコンタクトホールの周辺部に集中するので、本発明の実施形態でのようにコンタクトホールの大きさ及び配列状態を異なるようにして電源電圧の電圧降下を補償する方法以外に電源電圧の電圧降下に対応してカソード電源ラインの電圧降下が相互に相殺されるようにコンタクトホールを非対称的に配列する方法はすべて適用可能である。
【図面の簡単な説明】
【００７５】
【図１】本発明の実施形態による有機電界発光表示装置を示した平面図。
【図２】本発明の２個のカソード電源ラインを備えた有機電界発光表示装置において、電源電圧の分布を概略的に示した図面。
【図３】本発明の一つのカソード電源ラインを備えた有機電界発光表示装置において、電源電圧の分布を概略的に示した図面。
【図４】本発明のまた他の２個のカソード電源ラインを備えた有機電界発光表示装置において、電源電圧の分布を概略的に示した図面。
【図５】本発明の第１実施形態による有機電界発光表示装置において、カソード電極との連結のための複数のコンタクトホールを備えたカソード電源ラインの平面図。
【図６】本発明の第２実施形態による有機電界発光表示装置において、カソード電極との連結のための複数のコンタクトホールを備えたカソード電源ラインの平面図。
【図７】本発明の第３実施形態による有機電界発光表示装置において、カソード電極との連結のための複数のコンタクトホールを備えたカソード電源ラインの平面図。
【図８】本発明の第４実施形態による有機電界発光表示装置において、カソード電極との連結のための複数のコンタクトホールを備えたカソード電源ラインの平面図。
【図９】本発明の第５実施形態による有機電界発光表示装置において、カソード電極との連結のための複数のコンタクトホールを備えたカソード電源ラインの平面図。
【図１０】本発明の第６実施形態による有機電界発光表示装置において、カソード電極との連結のための複数のコンタクトホールを備えたカソード電源ラインの平面図。
【図１１】本発明の第７実施形態による有機電界発光表示装置において、カソード電極との連結のための複数のコンタクトホールを備えたカソード電源ラインの平面図。
【図１２】有機電界発光表示装置を示した平面図。
【図１３】従来の有機電界発光表示装置において、カソード電極との連結のためのコンタクトホールを備えたカソード電源ラインの平面図。
【図１４】図１２の有機電界発光表示装置において、電源電圧の分布を示した図面。
【符号の説明】
【００７６】
２００  有機電界発光表示装置
２１０  上部電源電圧ライン
２１１  画素電源電圧ライン
２２０  カソード電極
２２１  第１カソード電源ライン
２２２  第２カソード電源ライン
２２３−２２６、２２７ａ、２２７ｂ、２２８ａ、２２８ｂ、２２８ｃ  コンタクトホール
２３０  下部電源電圧ライン
２４０  スキャンドライバー
２５０  データドライバー
【図１】
2005157300.tif 000003
【図２】
2005157300.tif 000004
【図３】
2005157300.tif 000005
【図４】
2005157300.tif 000006
【図５】
2005157300.tif 000007
【図６】
2005157300.tif 000008
【図７】
2005157300.tif 000009
【図８】
2005157300.tif 000010
【図９】
2005157300.tif 000011
【図１０】
2005157300.tif 000012
【図１１】
2005157300.tif 000013
【図１２】
2005157300.tif 000014
【図１３】
2005157300.tif 000015
【図１４】
2005157300.tif 000016